(57)【特許請求の範囲】
【請求項１】
下部走行体と、該下部走行体上に旋回可能に設けられた上部旋回体と、該上部旋回体に一端が回動可能に連結された多関節リンク機構からなるフロント作業機と、該フロント作業機の所定部分に取り付けられ、主弁を介して散水ユニットに接続された粉塵抑制用の散水ノズルとを備えた作業機械において、
前記主弁の下流側に配置された切替弁を介して前記散水ユニットと接続され、筒先がキャブ側に向けられた窓ガラス洗浄用の洗浄ノズルを、前記フロント作業機のブーム側面に設けたことを特徴とする窓ガラス洗浄装置を備えた作業機械。
【請求項２】
前記洗浄ノズルを、前記ブームを駆動させるブームシリンダの連結部分の近傍に取り付けたことを特徴とする請求項１に記載の窓ガラス洗浄装置を備えた作業機械。
【請求項３】
前記主弁の切替操作を行う主弁スイッチ及び前記切替弁の切替操作を行う切替弁スイッチを、前記上部旋回体上に設けられたキャブ内に配置したことを特徴とする請求項１及び請求項２のいずれか１項に記載の窓ガラス洗浄装置を備えた作業機械。
【請求項４】
前記主弁スイッチは、操作部を操作するごとにオン・オフの切り換えが行われる位置保持型スイッチであり、前記切替弁スイッチは、操作部を操作している間だけスイッチがオンになる自動復帰型スイッチであることを特徴とする請求項３に記載の窓ガラス洗浄装置を備えた作業機械。
【発明の詳細な説明】
【技術分野】
【０００１】
本発明は、窓ガラス洗浄装置を備えた作業機械に係り、特に、キャブの窓ガラスに高圧水を噴射して窓ガラスの洗浄を行う洗浄ノズルの配置に関する。
【背景技術】
【０００２】
フロント作業機の先端部に破砕機等の作業具を装着して構築物の解体作業等を行う作業機械には、作業に伴う粉塵の発生を抑制するため、フロント作業機における作業具の取付部の近傍に散水ノズルを取り付け、散水ユニットから圧送される高圧水を作業箇所に散布するようにしたものが従来知られている。また、キャブの窓ガラスに付着した粉塵を洗浄して運転席からの作業箇所の視界を確保できるようにするため、散水ユニットから圧送される高圧水を用いて窓ガラスを洗浄する装置を備えたものも従来知られている（特許文献１，２参照。）。
【先行技術文献】
【特許文献】
【０００３】
【特許文献１】実開平５−５８７５９号公報
【特許文献２】特開平８−２６０５１３号公報
【発明の概要】
【発明が解決しようとする課題】
【０００４】
しかしながら、特許文献１に開示の技術は、キャブ天井の上面に散水ノズルを設置し、該散水ノズルから供給される水をキャブの天窓から前窓に向けて流し、その水の勢いで天窓及び前窓に付着した粉塵を洗い流すというものであるので、天窓及び前窓に強固に付着した粉塵については、効率的かつ十分に除去することが困難である。即ち、上述のように、構築物等の解体作業現場においては粉塵抑制用の散水を行いながら作業が進められるので、作業機械の天窓及び前窓には水分を含んで凝縮した粉塵が付着する。この凝縮した粉塵は、作業機械の天窓及び前窓に強固に付着するため、ノズルから放水される水だけでは洗い流すことが難しく、十分な視界が得られる程度まで洗浄するためには長時間を要する。同様の理由から、水を流しながらワイパーを作動しても強固に付着した粉塵を除去することは難しく、ワイパーを痛める原因ともなる。
【０００５】
また、特許文献２に開示の技術は、作業機械の車体に高圧水ポンプと該高圧水ポンプから吐出される高圧水を複数個の吐出ポートに分配する分配バルブとを設け、これら複数個の吐出ポートの１つに洗浄ガンのホースを適宜接続して洗浄作業を実行する、というものである。そのため、吐出ポートに対するホースの着脱や窓ガラス洗浄時における洗浄ガンの保持をオペレータ自身が行わなくてはならず、また、窓ガラスの洗浄作業に際しては、オペレータが作業機械から降車しなくてはならないので、手間が掛かっていた。さらに、構築物等の解体作業はフロント作業機を高所まで伸ばして行うことが多いので、作業箇所で発生した粉塵がキャブの天窓に付着しやすいが、特許文献２に開示の技術によると、作業機械から降車したオペレータが洗浄ガンを保持して、高圧水を窓ガラスに向けて噴射するという構成であるので、比較的大きな機械では、天窓については高圧水を直接的に当てることが困難であり、必要な洗浄作業を迅速に行うことができないという問題もある。
【０００６】
本発明は、このような従来技術の問題点に鑑みてなされたものであり、その目的とするところは、高圧水を用いてキャブの窓ガラスを迅速かつ十分に洗浄可能な窓ガラス洗浄装置を備えた作業機械を提供することにある。
【課題を解決するための手段】
【０００７】
本発明は、前記の課題を解決するため、下部走行体と、該下部走行体上に旋回可能に設けられた上部旋回体と、該上部旋回体に一端が回動可能に連結された多関節リンク機構からなるフロント作業機と、該フロント作業機の所定部分に取り付けられ、主弁を介して散水ユニットに接続された粉塵抑制用の散水ノズルとを備えた作業機械において、前記主弁の下流側に配置された切替弁を介して前記散水ユニットと接続され、筒先がキャブ側に向けられた窓ガラス洗浄用の洗浄ノズルを、前記フロント作業機のブーム側面に設けたことを特徴とする。
【０００８】
フロント作業機のブーム側面に散水ユニットと接続された窓ガラス洗浄用の洗浄ノズルを備えると、洗浄ノズルからキャブの天窓及び前窓に向けて散水ユニットから吐出される高圧水を直接的に吹き付けることができるので、該部に強固に付着した粉塵を迅速かつ十分に除去することができる。また、高圧水の力だけで粉塵を十分に除去できるので、洗浄時にワイパーを作動する必要がなく、ワイパーの破損も防止できる。
【０００９】
また本発明は、前記構成の窓ガラス洗浄装置を備えた作業機械において、前記洗浄ノズルを、前記ブームを駆動させるブームシリンダの連結部分の近傍に取り付けたことを特徴とする。
【００１０】
ブームの一端は、上部旋回体上におけるキャブの側方部分に連結されるので、ブーム上におけるブームシリンダの連結部分の近傍に洗浄ノズルを取り付けると、ブームの回動に伴って洗浄ノズルをキャブの周りに旋回させることができる。よって、キャブの天窓及び前窓に直接高圧水を噴射することが可能になり、窓ガラスの洗浄を迅速かつ十分に行うことができる。
【００１１】
また本発明は、前記構成の窓ガラス洗浄装置を備えた作業機械において、前記主弁の切替操作を行う主弁スイッチ及び前記切替弁の切替操作を行う切替弁スイッチを、前記上部旋回体上に設けられたキャブ内に配置したことを特徴とする。
【００１２】
かかる構成によると、キャブ内でオペレータが主弁スイッチ及び切替弁スイッチを操作するだけで必要な洗浄作業を行うことができるので、オペレータが作業機械から降車して散水ユニットと洗浄ノズルとの接続及び洗浄ノズルの保持を行う必要がなく、オペレータの手間を軽減することができる。
【００１３】
また本発明は、前記構成の窓ガラス洗浄装置を備えた作業機械において、前記主弁スイッチは、操作部を操作するごとにオン・オフの切り換えが行われる位置保持型スイッチであり、前記切替弁スイッチは、操作部を操作している間だけスイッチがオンになる自動復帰型スイッチであることを特徴とする。
【００１４】
散水ノズルからの散水は、主弁をオン状態に切り換えることにより行われ、この主弁のオン状態は、作業機械の稼動中、継続的に維持される。したがって、主弁スイッチとして、操作部を操作するごとにオン・オフの切り換えが行われる位置保持型スイッチを用いると、主弁スイッチの操作回数を最小限とすることができるので、オペレータの負担を軽減することができる。これに対して、洗浄ノズルからの高圧水の噴射は、主弁及び切替弁をオン状態に切り換えることにより行われ、窓ガラスがきれいになるまでの比較的短時間において継続的に或いは断続的に行われる。したがって、切替弁スイッチとして自動復帰型スイッチを用いると、必要な時間だけ操作部を操作し続けることによって窓ガラスの洗浄を実行できるので、洗浄作業を効率的に行えると共に、高圧水の使用の無駄を抑制することができる。
【発明の効果】
【００１５】
本発明は、フロント作業機のブーム側面に、主弁と該主弁の下流側に配置された切替弁を介して散水ユニットに接続され、筒先がキャブ側に向けられた窓ガラス洗浄用の洗浄ノズルを備えたので、洗浄ノズルから窓ガラスに向けて散水ユニットから吐出される高圧水を直接的に吹き付けることができ、天窓及び前窓の窓ガラスに強固に付着した粉塵を迅速的かつ十分に除去することができる。また、ワイパーを作動することなく高圧水の力だけで粉塵を十分に除去することができるので、ワイパーの破損も防止できる。更に、洗浄作業時にオペレータが作業機械から降車して、散水ユニットと洗浄ノズルの接続や洗浄ノズルの保持を行う必要がないので、オペレータの手間を軽減することができる。
【図面の簡単な説明】
【００１６】
【図１】実施形態に係る作業機械の側面図である。
【図２】実施形態に係る作業機械の一部省略した正面図である。
【図３】実施形態に係る作業機械に備えられる散水用及び洗浄用の給水システムの構成図である。
【図４】実施形態に係る作業機械の主弁スイッチ及び切替弁スイッチの配置図である。
【発明を実施するための形態】
【００１７】
以下、実施形態に係る窓ガラス洗浄装置を備えた作業機械の構成を、図を参照しながら説明する。
【００１８】
図１及び図２に示すように、実施形態に係る作業機械１は、下部走行体２と、下部走行体２上に旋回可能に備えられた上部旋回体３と、一端が上部旋回体３に連結された多関節型のリンク機構よりなる作業フロント４と、散水及び洗浄用の給水装置５とから主に構成されている。上部旋回体３上には、キャブ（運転室）６が備えられると共に、図示しない原動機と、当該原動機により駆動される図示しない油圧ポンプとが搭載されており、下部走行体２、上部旋回体３及び作業フロント４は、油圧ポンプから吐出される油圧により駆動される。
【００１９】
作業フロント４は、一端が上部旋回体３に回動可能に連結されたブーム１０と、上部旋回体３に対してブーム１０を上下動するブームシリンダ１１と、一端がブーム１０の先端部に回動可能に連結されたミドルアーム１２と、ブーム１０に対してミドルアーム１２を上下動するミドルアームシリンダ１３と、一端がミドルアーム１２の先端部に回動可能に連結されたアーム１４と、ミドルアーム１２に対してアーム１４を上下動するアームシリンダ１５と、一端がアーム１４の先端部に回動可能に連結された破砕機１６と、アーム１４に対して破砕機１６を上下動するチルトシリンダ１７とから構成されている。ブームシリンダ１１は、両端が上部旋回体３とブーム１０とに連結され、ミドルアームシリンダ１３は、両端がブーム１０とミドルアーム１２とに連結される。また、アームシリンダ１５は、両端がミドルアーム１２とアーム１４とに連結され、チルトシリンダ１７は、両端がアーム１４と破砕機１６とを連結するリンク１８の力点１８ａとアーム１４とに連結される。
【００２０】
破砕機１６は、アーム１４の先端部に回動可能に連結された本体部１６ａと、本体部１６ａに一端が回動可能に連結された２つの可動部１６ｂ，１６ｃと、本体部１６ａに対する可動部１６ｂ，１６ｃの駆動を行う作業シリンダ１６ｄ，１６ｅとからなり、作業シリンダ１６ｄ，１６ｅを伸縮することによって可動部１６ｂ，１６ｃの開閉を行う。これにより、作業対象物を破砕機１６によって破砕することができる。なお、アーム１４の先端部には、破砕機１６に代えて、バケット、カッタ、ブレーカ等の他の作業具を備えることもできる。
【００２１】
キャブ６内には、図４に示すように、オペレータが着座する座席６ｄの周囲に、作業レバー６ａと、作業ペダル６ｂと、走行ペダル６ｃとが配置されている。また、左側の作業レバー６ａの近傍には、給水装置５に備えられる主弁２３を切り換えるための主弁スイッチ３１が設けられ、右側の作業レバー６ａのグリップ部には、切替弁２４を切り換えるための切替弁スイッチ３２が設けられている。したがって、本例の作業機械１は、キャブ６内に備えられた作業レバー６ａ、作業ペダル６ｂ及び走行ペダル６ｃをオペレータが操作し、下部走行体２、上部旋回体３及び作業フロント４を適宜駆動することにより、構築物の解体等の作業を行うことができる。また、主弁スイッチ３１及び切替弁スイッチ３２をオペレータが操作することにより、給水装置５の切り換えを行うことができる。
【００２２】
給水装置５は、図３（ａ），（ｂ）に示すように、散水ユニット２１と、散水ユニット２１の吐出口に接続された導水配管２２と、導水配管２２に設けられた主弁２３と、導水配管２２の主弁２３よりも下流側に設けられた切替弁２４と、切替弁２４から分岐された散水配管２５及び洗浄配管２６と、散水配管２５の先端に取り付けられた散水ノズル２７と、洗浄配管２６の先端に取り付けられた洗浄ノズル２８とから構成される。なお、図３（ａ）は、散水時における主弁２３及び切替弁２４の切替状態を示しており、図３（ｂ）は洗浄時における主弁２３及び切替弁２４の切替状態を示している。
【００２３】
散水ユニット２１は、図示しない給水タンク、給排水ポンプ及び給排水ポンプの原動機をもって構成されており、給排水ポンプの吐出側に導水配管２２が接続される。なお、図１の例では、散水ユニット２１が作業機械１外に設置されているが、上部旋回体３上に搭載することもできる。
【００２４】
導水配管２２、散水配管２５及び洗浄配管２６は、図１に示すように、ブーム１０、ミドルアーム１２及びアーム１４に沿って引き回される。散水配管２５の先端に取り付けられた散水ノズル２７は、アーム１４の先端寄りの下辺部に固定されており、その筒先が破砕機１６の先端に向けられている。したがって、散水ユニット２１から供給される高圧水を散水ノズル２７から噴射することにより、作業箇所からの粉塵の発生を抑制することができる。これに対して、洗浄配管２６の先端に取り付けられた洗浄ノズル２８は、ブーム１０のキャブ６側の側面に取り付けられており、その筒先がキャブ６側に向けられている。したがって、散水ユニット２１から供給される高圧水を洗浄ノズル２８から噴射することにより、キャブ６の天窓及び前窓に備えられた窓ガラスを洗浄することができる。このように、実施形態に係る作業機械１は、洗浄配管２６に接続された洗浄ノズル２８をブーム１０に取り付けたので、窓ガラスの洗浄に際してオペレータが作業機械から降車し、散水ユニット２１と洗浄ノズル２８の接続や洗浄ノズル２８の保持を行う必要がなく、オペレータの手間を軽減することができる。
【００２５】
なお、図１の例では、洗浄ノズル２８がブームシリンダ１１の連結部分の近傍に取り付けられているが、本発明の要旨はこれに限定されるものではなく、キャブ６の天窓及び前窓に高圧水を噴射可能なブーム１０上の任意の位置に取り付けることができる。図２に示すように、ブーム１０は、その一端がキャブ６の側方部分に連結されているので、洗浄ノズル２８をブーム１０上に取り付けると、ブーム１０の回動に伴って洗浄ノズル２８をキャブ６の周りに回動させることができ、キャブ６の天窓及び前窓に直接高圧水を噴射することができて、天窓及び前窓の洗浄を効率的かつ十分に行うことができる。
【００２６】
主弁２３及び切替弁２４は、いずれもスプリングオフセット形の電磁弁であり、図４に示すように、キャブ６内に備えられた主弁スイッチ３１又は切替弁スイッチ３２を操作することにより、オン位置からオフ位置への切り替え及びオフ位置からオン位置への切り替えが行われる。このように、主弁スイッチ３１及び切替弁スイッチ３２をキャブ６内に備えると、キャブ６内からの操作で作業箇所への散水作業及び窓ガラスの洗浄作業を行うことができるので、オペレータが作業機械１から降車する必要がなく、オペレータの手間を軽減することもできる。なお、主弁２３は上部旋回体３上に設置され、切替弁２４は、図１に示すように、ブーム１０上に設置される。
【００２７】
主弁スイッチ３１は、操作部を操作するごとにオン・オフの切り換えが行われる位置保持型の押し釦スイッチであり、切替弁スイッチ３２は、操作部を操作している間だけスイッチがオンになる自動復帰型の押し釦スイッチである。即ち、オペレータが主弁スイッチ３１の操作部を押圧すると、図３（ａ）に示すように、主弁２３がオフ位置からオン位置に切り替えられ、散水ユニット２１から吐出された高圧水が、導水配管２２、主弁２３、切替弁２４及び散水配管２５を通って散水ノズル２７に供給され、散水ノズル２７から作業箇所への散水が行われる。この状態は、オペレータが再度主弁スイッチ３１の操作部を押圧するまで維持される。一方、主弁２３がオン位置に切り替えられている状態で、オペレータが切替弁スイッチ３２の操作部を押圧すると、図３（ｂ）に示すように、切替弁２４がオフ位置からオン位置に切り替えられ、散水ユニット２１から吐出された高圧水が、導水配管２２、主弁２３、切替弁２４及び洗浄配管２６を通って洗浄ノズル２８に供給され、洗浄ノズル２８からキャブ６の窓ガラスに高圧水が噴射される。オペレータが切替弁スイッチ３２の操作部から指を離すと、スプリング２４ａの弾性力によって自動的に切替弁２４がオフ位置に復帰し、洗浄ノズル２８からの高圧水の噴射が停止される。
【００２８】
このように、主弁スイッチ３１として位置保持型の押し釦スイッチを用いると、散水中においては主弁スイッチ３１を一切操作する必要がないので、オペレータの負担を軽減することができる。また、切替弁スイッチ３２として自動復帰型の押し釦スイッチを用いると、窓ガラスの洗浄に必要な時間だけ切替弁スイッチ３２の操作部を操作し続けるだけで良く、操作部から指を離せば自動的に散水ノズル２７からの散水に切り換わるので、窓ガラスの洗浄作業を必要に応じて随時行えると共に、高圧水の無駄な使用を抑制することができる。
【００２９】
以上説明したように、実施形態に係る作業機械１は、ブーム１０の所定部分に散水ユニット２１と接続された窓ガラス洗浄用の洗浄ノズル２８を備えたので、洗浄ノズル２８から窓ガラスに向けて散水ユニット２１から吐出される高圧水を吹き付けることができ、天窓及び前窓の窓ガラスに強固に付着した粉塵を効率的かつ十分に除去することができる。また、高圧水の力だけで粉塵を十分に除去することができるので、洗浄時にワイパーを作動する必要がなく、ワイパーの破損も防止できる。さらに、キャブ６内から主弁２３及び切替弁２４の切替を操作するだけで必要な洗浄作業を行うことができるので、オペレータが作業機械１から降車して、散水ユニット２１と洗浄ノズル２８との接続や、洗浄ノズル２８の保持を行う必要がなく、オペレータの手間を軽減することができる。
【００３０】
なお、前記実施形態においては、作業フロント４にブーム１０とミドルアーム１２とアーム１４とを備えた３段ハイリフト仕様の作業機械を例にとって説明したが、本発明の要旨はこれに限定されるものではなく、ミドルアームを備えない２段ハイリフト仕様の作業機械、ブームがロアブームとアッパーブームとからなるツーピースブーム仕様の作業機械、アームの先端部にバケットが取り付けられたバックホウ仕様の作業機械にも適用することができる。
【符号の説明】
【００３１】
１    作業機械
２    下部走行体
３    上部旋回体
４    作業フロント
５    給水装置
６    キャブ
６ａ    作業レバー
６ｂ    作業ペダル
６ｃ    走行ペダル
６ｄ    座席
１０    ブーム
１１    ブームシリンダ
１２    ミドルアーム
１３    ミドルアームシリンダ
１４    アーム
１５    アームシリンダ
１６    破砕機
１７    破砕機シリンダ
１８    リンク
２１    散水ユニット
２２    導水配管
２３    主弁
２４    切替弁
２５    散水配管
２６    洗浄配管
２７    散水ノズル
２８    洗浄ノズル
３１    主弁スイッチ
３２    切替弁スイッチ
【図１】
0005485947.tif 000002
【図２】
0005485947.tif 000003
【図３】
0005485947.tif 000004
【図４】
0005485947.tif 000005